【手続補正書】
【提出日】平成17年11月28日(2005.11.28)
【手続補正１】
【補正対象書類名】特許請求の範囲
【補正対象項目名】全文
【補正方法】変更
【補正の内容】
【特許請求の範囲】
【請求項１】
ミクロフィブリル化の深さが１０ミクロンよりも深い、少なくとも１つのミクロフィブリル化した表面を有する配向フィルムを含む受容媒体であって、前記ミクロフィブリル化した表面が、溶融加工した、平均有効径が２０ミクロン未満で横方向のアスペクト比が１．５：１から２０：１までのポリマーミクロ繊維またはミクロフレークを含むものである、受容媒体。
【請求項２】
前記ミクロフィブリル化した表面が、ポリエチレン、ポリプロピレン、ポリオキシメチレン、ポリ（フッ化ビニリデン）、ポリ（メチルペンテン）、ポリ（エチレン−クロロトリフルオロエチレン）、ポリ（フッ化ビニル）、ポリ（エチレンオキシド）、ポリ（エチレンテレフタレート）、ポリ（ブチレンテレフタレート）、ナイロン６、ナイロン６６、ポリブテン、ポリラクチド、およびサーモトロピック液晶ポリマー、並びにそれらのブレンドからなる群より選択されるポリマーミクロ繊維またはミクロフレークを含む、請求項１に記載の受容媒体。
【請求項３】
前記ミクロフィブリル化した表面が、溶融加工したポリマーまたはポリマーブレンド、およびボイド開始成分を含み、前記ボイド開始成分が、無機固体微粒子成分、ポリマー成分、またはそれらの混合物である、請求項１に記載の受容媒体。
【請求項４】
前記無機成分が、中実または中空ガラス、セラミックまたは金属粒子、ミクロスフェアまたはビーズ、ゼオライト粒子、金属粒子、金属酸化物、アルカリまたはアルカリ土類金属の炭酸塩または硫酸塩、ケイ酸塩、メタケイ酸塩、アルミン酸塩、長石、カオリン、タルク、二酸化チタン、およびカーボンブラック、からなる群より選択される、請求項３に記載の受容媒体。
【請求項５】
前記ボイド開始ポリマー成分が、ポリプロピレン、ポリエチレン、ポリ（プロピレン−コ−エチレン）、ポリラクチド、ポリ（アルファ）オレフィン、ポリオキシメチレン、ポリ（フッ化ビニリデン）、ポリ（メチルペンテン）、ポリ（エチレン−クロロトリフルオロエチレン）、ポリ（フッ化ビニル）、ポリアミド、ポリブテン、熱可塑性ポリウレタン、ポリカーボネート、ポリメチルペンテン、ポリエステル、アクリレートおよびメタクリレートのホモポリマーおよびコポリマー、環状ポリオレフィン、ゴム、エチレンのコポリマー、ポリスチレン、ポリスチレンのコポリマー、ポリスチレンとポリイソプレンとのコポリマー、ポリイソブチレン、エポキシド、ポリビニルピロリドン、ビニルピロリジノンコポリマー、およびそれらの組合せ、からなる群より選択される、請求項３に記載の受容媒体。
【請求項６】
前記フィルムが１層または複数の層を含む、請求項１に記載の受容媒体。
【請求項７】
１軸配向させたミクロフィブリル化したフィルム層と、フィブリル化させていない２軸配向フィルム層とを含む、請求項６に記載の受容媒体。
【請求項８】
ジェット吐出可能な材料を、インクジェットプリントヘッドを通して、請求項１〜７のいずれかに記載の前記受容媒体の上に印刷する工程を含む、画像を形成するための方法。
【請求項９】
前記受容媒体の前記ミクロフィブリル化した表面の上にインクジェット吐出可能な材料を有する、請求項１に記載の前記受容媒体を含む、画像化グラフィックスフィルム。
【請求項１０】
複数の成分からなる受容媒体であって、
（ａ）少なくとも１つのミクロフィブリル化した表面を有する２軸配向フィルム；
（ｂ）前記ミクロフィブリル化した表面の反対側の主表面の上の接着剤層；
（ｃ）前記接着剤層を保護する剥離ライナー；および
（ｄ）前記ミクロフィブリル化した表面上に付着させたインクジェット吐出可能な材料、を含み、
前記ミクロフィブリル化した表面が、溶融加工した、平均有効径が２０ミクロン未満で横方向のアスペクト比が１．５：１から２０：１までのポリマーミクロ繊維またはミクロフレークを含むものである、受容媒体。
【請求項１１】
前記ミクロフィブリル化した表面が、ポリプロピレン、ポリラクチド、またはポリプロピレンとポリ（エチレンテレフタレート）、ポリ（ブチレンテレフタレート）、ポリ（エチレン−コ−酢酸ビニル−コ−一酸化炭素）、ポリ（メタクリル酸イソブチル）またはそれらの混合物とのブレンド、を含むポリマーミクロ繊維またはミクロフレークを含む、請求項１０に記載の受容媒体。
【請求項１２】
前記ミクロフィブリル化した表面が、ポリプロピレンとボイド開始成分との不混和性混合物を含み、前記ボイド開始成分が、無機固体微粒子成分、ポリマー成分、またはそれらの混合物である、請求項１０に記載の受容媒体。
【請求項１３】
前記無機成分が、中実または中空ガラス、セラミックまたは金属粒子、ミクロスフェアまたはビーズ、ゼオライト粒子、金属粒子、金属酸化物、アルカリまたはアルカリ土類金属の炭酸塩または硫酸塩、ケイ酸塩、メタケイ酸塩、アルミン酸塩、長石、カオリン、タルク、二酸化チタン、およびカーボンブラック、からなる群より選択される、請求項１２に記載の受容媒体。
【請求項１４】
前記ボイド開始ポリマーが、ポリプロピレン、ポリエチレン、ポリ（プロピレン−コ−エチレン）、ポリラクチド、ポリ（アルファ）オレフィン、ポリオキシメチレン、ポリ（フッ化ビニリデン）、ポリ（メチルペンテン）、ポリ（エチレン−クロロトリフルオロエチレン）、ポリ（フッ化ビニル）、ポリアミド、ポリブテン、熱可塑性ポリウレタン、ポリカーボネート、ポリメチルペンテン、ポリエステル、アクリレートおよびメタクリレートのホモポリマーおよびコポリマー、環状ポリオレフィン、ゴム、エチレンのコポリマー、ポリスチレン、ポリスチレンとポリイソプレンとのコポリマー、ポリスチレンのコポリマー、ポリイソブチレン、エポキシド、ポリビニルピロリドン、ビニルピロリジノンコポリマー、およびそれらの組合せ、からなる群より選択される、請求項１２に記載の受容媒体。
【請求項１５】
複数の成分からなる受容媒体であって、
（ａ）少なくとも１つのミクロフィブリル化した表面を有する２軸配向フィルムで、その表面は；
（ｉ）ポリプロピレン；および
（ｉｉ）無機成分と、ポリ（エチレン−コ−酢酸ビニル）、酸／アクリレート変性エチレン酢酸ビニル樹脂、エチレン／酢酸ビニル／一酸化炭素／エチレンのターポリマー、およびそれらの組合せ、からなる群より選択されるエチレンのコポリマーとを含むボイド開始成分、を含む、２軸配向フィルム；および
（ｂ）前記ミクロフィブリル化した表面の反対側の主表面の上の接着剤層；
（ｃ）前記接着剤層を保護する剥離ライナー；および
（ｄ）前記ミクロフィブリル化した表面上に付着させた溶媒系インキ、
を含み、
前記ミクロフィブリル化した表面が、溶融加工した、平均有効径が２０ミクロン未満で横方向のアスペクト比が１．５：１から２０：１までのポリマーミクロ繊維またはミクロフレークを含むものである、受容媒体。
【請求項１６】
前記受容媒体の前記ミクロフィブリル化した表面の上に付着させたインクジェット吐出可能な材料を有する、請求項１５に記載の前記受容媒体を含む、画像化グラフィックスフィルム。
【請求項１７】
受容媒体であって、少なくとも１つのミクロフィブリル化した表面を有する２軸配向フィルムを含み、その表面は、
（ａ）ポリプロピレン；および
（ｂ）無機成分と、ポリ（エチレン−コ−酢酸ビニル）、酸／アクリレート変性エチレン酢酸ビニル樹脂、エチレン／酢酸ビニル／一酸化炭素／エチレンのターポリマー、およびそれらの組合せ、からなる群より選択されるエチレンのコポリマーとを含むボイド開始成分、
を含み、
前記ミクロフィブリル化した表面が、溶融加工した、平均有効径が２０ミクロン未満で横方向のアスペクト比が１．５：１から２０：１までのポリマーミクロ繊維またはミクロフレークを含むものである、受容媒体。